(57)【要約】      （修正有）【課題】コンパクトに収納しやすい位置決め制御装置付きの折畳みラックを提供する。【解決手段】２つの支持フレーム１の間にスライドフレーム２と、スライドフレームにスライドブッシュ３とが設けられ、スライドブッシュ及び両側の支持フレームの間に対向した連結ユニット４が接続され、スライドフレームの上端にはその中に延伸し、その下端には、スライドブッシュの上端に突き当てるための位置決めユニット６２の位置決め制御装置６が設けられる。スライドフレームを引き上げ、２つの支持フレームを内側の既定の位置に重ねることで位置決め制御装置の位置決めユニットの下端がスライドブッシュの上端に突き当てられて、２つの支持フレームを内側に近づいて既定の位置で固定されるとともに２つの支持フレームが内側へ完全に重なりあって固定される。これにより折畳まれたラックを安定して立たせ、簡単に倒れないようにすることができる。【選択図】図２
2020031800.tif 000002
【特許請求の範囲】
【請求項１】
２つの支持フレームの間にスライドフレームと、前記スライドフレームにスライドブッシュとが設けられ、
前記スライドブッシュ及び両側の各支持フレームの間に対向して連結ユニットが接続され、
２つの支持フレーム及びスライドフレームの間に折畳み可能な棚板部材があり、
前記スライドフレームを引き上げると、２つの支持フレームと棚板部材が近づいて折り合わせるようになり、
前記スライドフレームの上端には、スライドフレームの移動を位置決めるための位置決め制御装置が設けられ、
前記位置決め制御装置は、スライドフレームの上端にトグルユニットが取り付けられ、当該トグルユニットの取付けられたところには、スライドフレーム内に延伸し、トグルユニットを動かすことによってスイングする位置決めユニットが設けられ、
前記位置決めユニットの下端には突当て部と、当該突当て部に突き当てるためのフレキシブルユニットとが設けられ、
前記スライドフレームの側面には、該突当て部を露出させるための露出口が設けられ、
前記突当て部は、スライドブッシュを通って、スライドブッシュの上端に突き当てるように設けられることを特徴とする位置決め制御装置付きの折畳みラック。
【請求項２】
前記スライドフレームの上端には切込部が設けられ、
前記トグルユニットの取付けられたところを貫通して、該切込部の底に入り込み、前記位置決めユニットを固定するように設けられるロッドバーがあり、
前記スライドフレームの上端に固定され、該ロッドバーを上から滑り出させないようにするための固定カラーが設けられることを特徴とする請求項１に記載の位置決め制御装置付きの折畳みラック。 
【発明の詳細な説明】
【技術分野】
【０００１】
本発明は、多段棚の折畳みラックに関わり、特に、該ラックは２つの支持フレームを折り合わせた後に、位置決め制御装置によって位置決められ、折畳められたラックは２つの支持フレームが外に広がらず、支えがなくても立てて収納可能な折畳みラックに関する。
【背景技術】
【０００２】
従来の公開された台湾特許５５１３２６、台湾特許Ｍ３０２９４１、台湾特許Ｍ３４８５２６、または日本実用新案登録第３１４６００７号、日本実用新案登録第３１６３９３２号はどれも、多段棚の折畳みラックであり、各棚板を中間から折り合わせ、２つの支持フレームを折畳めて、コンパクトで収納しやすいこと、２つの支持フレームの下端にキャスターを取り付け、展開されたラックが移動しやすいようにすることを主な目的とする。
【０００３】
上述した特許に掲示されたトグルユニットでは通常、スライドブッシュを押さえ、位置決め、棚板を展開させ使用するように設けられ、または、トグルユニットを引き、スライドブッシュから抜けだされ、中間フレームを引き動かされ、棚板を折り合わせて、２つの支持フレームを近づかせるように設けられるが、ラックは折畳まれた時、何らかの位置決めまたは固定可能な装置がなく、即ち、該中間フレームが上下にスライド可能なこと、また、ラックを安定して立たせ、倒させないようにした場合、中間フレームの重さ、及び支持フレームの下端にあるキャスターがブレーキがついていないから、２つの該支持フレームは適当な距離に開けられ、完全には近づかず、重ならないこと、またはブレーキせず、何も止め力がない場合、該中間フレームは、重力によって形が崩れ、両側の支持フレームが自然に外へスライドしたり、広がったりして、ラック全体がまた展開状態になることが、改善すべき問題点である。
【０００４】
２つの支持フレームを完全に重ねた場合、中間フレームは簡単に形崩れないが、２つの支持フレーム間の距離が近すぎたわりに、ラックが高すぎたため立てるときに重心のバランスが悪く、簡単に立つことができず、倒れやすいという危険性もあるから、完全に折畳まれたそのようなラックは、何も仕切りなしの広いスペースは適した空間でなく、狭い空間に収納されるのがよいこと、そして、２つの支持フレーム間が位置決められないから、ラックを押し動かされた場合、２つの支持フレームは使用者がにしっかり持たれなければ、２つの該支持フレーム間が広がりやすく、折畳まれたラックが移動しにくくなる。
【先行技術文献】
【特許文献】
【０００５】
【特許文献１】中華民国特許第５５１３２６号
【特許文献２】中華民国特許Ｍ３０２９４１号
【特許文献３】中華民国特許Ｍ３４８５２６号
【特許文献４】実用新案登録第３１４６００７号公報
【特許文献５】実用新案登録第３１６３９３２号公報
【発明の概要】
【発明が解決しようとする課題】
【０００６】
本考案は、前述した従来の折畳まれたラックについて、位置決め設計がなく、自ら外に広がったりしたこと、または完全に折畳まれたあと、安定して立てられないなどの問題点を改善するため、スライドフレームの上端には、２つの支持フレーム間を位置決め制御するための位置決め制御装置が設けられ、該位置決め制御装置には、スライドフレーム内に延伸される位置決めユニットの下端が設けられ、それが、柔軟に伸縮可能で、スライドフレーム側面の外に露出され、スライドフレームを引き上げ、２つの支持フレームを重ねたとき、該位置決めユニットの下端をスライドブッシュの上端に突き当てるようにし、スライドフレームが下へスライドせず、適当な距離まで近づいた２つの支持フレームを、外にスライドしたり広げたりせず、ラックを安定して立たせるための折畳まれたラックの位置決め可能な設計を提供する。
【課題を解決するための手段】
【０００７】
本考案の課題を解決するための技術手段として、  ２つの支持フレームの間にスライドフレーム、２つの該支持フレーム及びスライドフレームの間に折畳可能な棚板部材、スライドフレームにスライドブッシュが設けられ、及びスライドブッシュ及び各側の支持フレームの間に対向した連結ユニットが接続され、スライドフレームを引き上げると、２つの支持フレームと棚板部材を近づかせ、折り合わせるようになり、スライドフレームの上端には、スライドフレームの移動を位置決めるための位置決め制御装置が設けられ、該位置決め制御装置は、スライドフレームの上端にトグルユニットが取り付けられ、トグルユニットの取付けられたところには、スライドフレーム内に延伸し、トグルユニットを動かすことによって、スイングする位置決めユニットが設けられ、位置決めユニットの下端には突当て部、そして、それに突き当てるためのフレキシブルユニット、スライドフレームの側面には、該突当て部を露出させるための露出口が設けられ、それによって、該突当て部がスライドブッシュを通って、スライドブッシュの上端に突き当てるように設けられることを特徴とする。
【０００８】
上述した技術手段では、該トグルユニットの取付けられたところを貫通して、トグルユニット、位置決めユニットを固定するように設けられ、並在スライドフレームの上端には、設一該ロッドバーを底部へ入り込ませるための切込部、及び、該ロッドバーに突き当てるための固定カラーが設けられることを特徴とする。
【０００９】
それゆえ、上述した本考案の位置決め制御装置の位置決めユニットにより、スライドフレームを上へ動かすと、その上端がスライドブッシュを通って、スライドブッシュの上端に突き当てて、スライドフレームが下へ移動しなくなり、  重なった２つの支持フレームが位置決められ、折畳まれたラックをより安定して立たせるようにし、またはラックを押し動かされたとき、２つの支持フレームが外に広がったりしないことを特徴とする。
【図面の簡単な説明】
【００１０】
【図１】本考案のラックの立体図である。
【図２】本考案のラック位置決め制御装置周辺の分解図である。
【図３】本考案のラックの側面図である。
【図４】本考案の位置決め制御装置周辺の側面断面図。
【図５】本考案のラックの折畳まれた時に安定して立てる図である。
【図６】図５の折畳まれたラックが立つ時における位置決め制御装置周辺の断面図。
【図７】本考案のラックが完全に折畳まれた時の図である。
【図８】図７の折畳まれたラックの位置決め制御装置における位置決めユニットの異なる実施例の断面図である。
【発明を実施するための形態】
【００１１】
次のように図面と実施例を合わせて、本考案について更に説明する。図１乃至図４に示すように、本考案のラックは、２つの支持フレーム１の間の両側にそれぞれ、スライドフレーム２が設けられ、スライドフレーム２にそれぞれ、スライドブッシュ３が組み付けられ、各側のスライドブッシュ３及び両側の支持フレーム１の間にはそれぞれ、対向した連結ユニット４が接続され、それに、２つの支持フレーム１及びスライドブッシュ３の間には、上から下へ、間隔を開けて複数の棚板部材５が設けられ、棚板部材５はそれぞれ、両内側部がスライドフレーム２に固定される２つの棚板５１，５２を備えてなり、両側の棚板５１，５２の外側部は更に、それに対応する支持フレーム１に固定されるように設けられ、該スライドフレーム２を下向き、または上向きに移動させることによって、２つの支持フレーム１を外向きに広げ、棚板５１，５２を平らに展開し、または、支持フレーム１を内向きに近づかせ、棚板５１，５２を折り畳め、ラックを折り合わせまたは展開するように設けられる。
【００１２】
該スライドフレーム２の上端にそれぞれ、更に位置決め制御装置６が設けられ、該位置決め制御装置６はスライドフレーム２の上端に取り付けられるトグルユニット６１、スライドフレーム２に設けられる固定されるロッドバー６０が備わり、トグルユニット６１と該ロッドバー６０を連結するように設けられ、該ロッドバー６０には更に、位置決めユニット６２が設けられ、位置決めユニット６２は下へと、スライドフレーム２内に延伸し、位置決めユニットの下端に突当て部６２１が設けられ、該突当て部６２１に対応するスライドフレーム２の側面に露出口２１があり、位置決めユニット６２の下端には更に、スライドフレーム２上に突き当てて、柔軟に、外向きに突き出すためのフレキシブルユニット６３が設けられ、トグルユニット６１と位置決めユニット６２は、ロッドバー６０を中心としてスイングし、即ち、位置決めユニット６２の下端が外向きにスイングするように設けられ、それによって、突当て部６２１は露出口２１から若干、スライドフレーム２の外に露出され、該突当て部６２１が露出口２１の辺に柔軟に伸縮できるように設けられる。
【００１３】
該ロッドバー６０は、スライドフレーム２の上端にある切込部２０を経て、切込部２０の底部に入り込み、それから、スライドフレーム２の上端に、固定カラー２２が取付固定され、ロッドバー６０を固定カラー２２に当させ、切込部２０から外れさせないようにし、ロッドバー６０がスライドフレーム２に取り付けられるように、回転するように設けられる。
【００１４】
図５、図６に示すように、使用者がラックの両側のスライドフレーム２を引き上げると、両側の支持フレーム１及び各棚板部材５が内側に近づき、折り畳むようになり、それと同時に、位置決め制御装置６にある位置決めユニット６２の突当て部６２１は、スライドブッシュ３の折畳み、近づきによって、突当て部６２１がスライドブッシュ３を通ってから、フレキシブルユニット６３に柔軟に突き当てられることによって、露出され、スライドブッシュ３の上端に突き当てるようになり、そこで、スライドブッシュ３にあるスライドフレーム２が下へスライドできず、位置決めが行われるようになり、更に、２つの支持フレーム１は外向きにスライドしたり広がりしたりせず、折畳まれた２つの支持フレーム１の間がプリセットされた距離を持つように設けられ、それによって、ラックは折畳まれた後、安定して立つように設けられ、または押し動かされても、安定性を保ち、簡単に倒れたりしないことなること。それに対して、使用者がトグルユニット６１を上に動かすと、位置決めユニット６２の下端が内向きにスイングして、該突当て部６２１がスライドフレーム２内に入り込み、スライドフレーム２が下向きにスライドするようになり、２つの支持フレーム１が外向きに広がり、棚板部材が平らに展開され、ラックが展開、使用できるように設けられる。
【００１５】
該位置決め制御装置６の位置決めユニット６２は、異なる長さに設定された場合、２つの支持フレーム１の間を折り合わせた時の位置が変わる。図７、図８に示すように、位置決めユニット６２の長さが伸びた場合、その下端の突当て部６２１がスライドブッシュ３の上端に突き当てると、２つの支持フレーム１の間が近づき、ほぼ一つに重なるようになり、そうなると、スライドフレーム２が下へスライドせず、近づいた２つの支持フレーム１が位置決められ、そこで、折り畳まれたラックを押し動かす時、２つの支持フレーム１が外に広がったりすることを心配する必要がない。
【符号の説明】
【００１６】
１．支持フレーム
２．スライドフレーム
２０．切込部
２１．露出口
２２．固定カラー
３．スライドブッシュ
４．連結ユニット
５．棚板部材
５１，５２．棚板
６．位置決め制御装置
６０．ロッドバー
６１．トグルユニット
６２．位置決めユニット
６２１．突当て部
６３．フレキシブルユニット
【図１】
2020031800.tif 000003
【図２】
2020031800.tif 000004
【図３】
2020031800.tif 000005
【図４】
2020031800.tif 000006
【図５】
2020031800.tif 000007
【図６】
2020031800.tif 000008
【図７】
2020031800.tif 000009
【図８】
2020031800.tif 000010
【手続補正書】
【提出日】令和1年9月22日(2019.9.22)
【手続補正１】
【補正対象書類名】特許請求の範囲
【補正対象項目名】全文
【補正方法】変更
【補正の内容】
【特許請求の範囲】
【請求項１】
２つの支持フレームの間にスライドフレームと、前記スライドフレームにスライドブッシュとが設けられ、
前記スライドブッシュ及び両側の各支持フレームの間に対向して連結ユニットが接続され、
２つの支持フレーム及びスライドフレームの間に折畳み可能な棚板部材があり、
前記スライドフレームを引き上げると、２つの支持フレームと棚板部材が近づいて折り合わせるようになり、
前記スライドフレームの上端には、スライドフレームの移動を位置決めるための位置決め制御装置が設けられ、
前記位置決め制御装置は、スライドフレームの上端にトグルユニットが取り付けられ、当該トグルユニットの取付けられたところには、スライドフレーム内に延伸し、トグルユニットを動かすことによってスイングする位置決めユニットが設けられ、
前記位置決めユニットの下端には突出し部と、当該突出し部を前記スライドフレームの内側から外側に突き出すためのフレキシブルユニットとが設けられ、
前記スライドフレームの側面には、該突出し部を露出させるための露出口が設けられ、
前記突出し部は、前記２つの支持フレームを折り畳む動作をするときに、スライドブッシュの内側をスライドして、スライドブッシュの上端に接する位置で、前記露出口を介して前記スライドフレームの内側から外側に突き出すように設けられることを特徴とする位置決め制御装置付きの折畳みラック。
【請求項２】
前記スライドフレームの上端には切込部が設けられ、
前記トグルユニットの、前記スライドフレームに取付けられたところを貫通して、該切込部の底に入り込み、前記位置決めユニットを固定するように設けられるロッドバーがあり、
前記スライドフレームの上端に固定され、該ロッドバーを上から滑り出させないようにするための固定カラーが設けられることを特徴とする請求項１に記載の位置決め制御装置付きの折畳みラック。
【手続補正２】
【補正対象書類名】明細書
【補正対象項目名】全文
【補正方法】変更
【補正の内容】
【発明の詳細な説明】
【技術分野】
【０００１】
本発明は、多段棚の折畳みラックに関わり、特に、該ラックは２つの支持フレームを折り合わせた後に、位置決め制御装置によって位置決められ、折畳められたラックは２つの支持フレームが外に広がらず、支えがなくても立てて収納可能な折畳みラックに関する。
【背景技術】
【０００２】
従来の公開された台湾特許５５１３２６、台湾特許Ｍ３０２９４１、台湾特許Ｍ３４８５２６、または日本実用新案登録第３１４６００７号、日本実用新案登録第３１６３９３２号はどれも、多段棚の折畳みラックであり、各棚板を中間から折り合わせ、２つの支持フレームを折畳めて、コンパクトで収納しやすいこと、２つの支持フレームの下端にキャスターを取り付け、展開されたラックが移動しやすいようにすることを主な目的とする。
【０００３】
上述した特許に掲示されたトグルユニットでは通常、スライドブッシュを押さえ、位置決め、棚板を展開させ使用するように設けられ、または、トグルユニットを引き、スライドブッシュから抜けだされ、中間フレームを引き動かされ、棚板を折り合わせて、２つの支持フレームを近づかせるように設けられるが、ラックは折畳まれた時、何らかの位置決めまたは固定可能な装置がなく、即ち、該中間フレームが上下にスライド可能なこと、また、ラックを安定して立たせ、倒させないようにした場合、中間フレームの重さ、及び支持フレームの下端にあるキャスターがブレーキがついていないから、２つの該支持フレームは適当な距離に開けられ、完全には近づかず、重ならないこと、またはブレーキせず、何も止め力がない場合、該中間フレームは、重力によって形が崩れ、両側の支持フレームが自然に外へスライドしたり、広がったりして、ラック全体がまた展開状態になることが、改善すべき問題点である。
【０００４】
２つの支持フレームを完全に重ねた場合、中間フレームは簡単に形崩れないが、２つの支持フレーム間の距離が近すぎたわりに、ラックが高すぎたため立てるときに重心のバランスが悪く、簡単に立つことができず、倒れやすいという危険性もあるから、完全に折畳まれたそのようなラックは、何も仕切りなしの広いスペースは適した空間でなく、狭い空間に収納されるのがよいこと、そして、２つの支持フレーム間が位置決められないから、ラックを押し動かされた場合、２つの支持フレームは使用者がしっかり持たれなければ、２つの該支持フレーム間が広がりやすく、折畳まれたラックが移動しにくくなる。
【先行技術文献】
【特許文献】
【０００５】
【特許文献１】中華民国特許第５５１３２６号
【特許文献２】中華民国特許Ｍ３０２９４１号
【特許文献３】中華民国特許Ｍ３４８５２６号
【特許文献４】実用新案登録第３１４６００７号公報
【特許文献５】実用新案登録第３１６３９３２号公報
【発明の概要】
【発明が解決しようとする課題】
【０００６】
本考案は、前述した従来の折畳まれたラックについて、位置決め設計がなく、自ら外に広がったりしたこと、または完全に折畳まれたあと、安定して立てられないなどの問題点を改善するため、スライドフレームの上端には、２つの支持フレーム間を位置決め制御するための位置決め制御装置が設けられ、該位置決め制御装置には、スライドフレーム内に延伸される位置決めユニットの下端が設けられ、それが、柔軟に伸縮可能で、スライドフレーム側面の外に露出され、スライドフレームを引き上げ、２つの支持フレームを重ねたとき、該位置決めユニットの下端をスライドブッシュの上端に突き出すようにし、スライドフレームが下へスライドせず、適当な距離まで近づいた２つの支持フレームを、外にスライドしたり広げたりせず、ラックを安定して立たせるための折畳まれたラックの位置決め可能な設計を提供する。
【課題を解決するための手段】
【０００７】
本考案の課題を解決するための技術手段として、２つの支持フレームの間にスライドフレーム、２つの該支持フレーム及びスライドフレームの間に折畳可能な棚板部材、スライドフレームにスライドブッシュが設けられ、及びスライドブッシュ及び各側の支持フレームの間に対向した連結ユニットが接続され、スライドフレームを引き上げると、２つの支持フレームと棚板部材を近づかせ、折り合わせるようになり、スライドフレームの上端には、スライドフレームの移動を位置決めるための位置決め制御装置が設けられ、該位置決め制御装置は、スライドフレームの上端にトグルユニットが取り付けられ、トグルユニットの取付けられたところには、スライドフレーム内に延伸し、トグルユニットを動かすことによって、スイングする位置決めユニットが設けられ、位置決めユニットの下端には突出し部、そして、それに突き出すためのフレキシブルユニット、スライドフレームの側面には、該突出し部を露出させるための露出口が設けられ、それによって、該突出し部がスライドブッシュを通って、スライドブッシュの上端に突き出すように設けられることを特徴とする。
【０００８】
上述した技術手段では、該トグルユニットの、スライドフレームに取付けられたところを貫通して、トグルユニット、位置決めユニットを固定するように設けられ、並在スライドフレームの上端には、設一該ロッドバーを底部へ入り込ませるための切込部、及び、該ロッドバーに突き当てるための固定カラーが設けられることを特徴とする。
【０００９】
それゆえ、上述した本考案の位置決め制御装置の位置決めユニットにより、スライドフレームを上へ動かすと、その上端がスライドブッシュを通って、スライドブッシュの上端に突き当てて、スライドフレームが下へ移動しなくなり、重なった２つの支持フレームが位置決められ、折畳まれたラックをより安定して立たせるようにし、またはラックを押し動かされたとき、２つの支持フレームが外に広がったりしないことを特徴とする。
【図面の簡単な説明】
【００１０】
【図１】本考案のラックの立体図である。
【図２】本考案のラック位置決め制御装置周辺の分解図である。
【図３】本考案のラックの側面図である。
【図４】本考案の位置決め制御装置周辺の側面断面図。
【図５】本考案のラックの折畳まれた時に安定して立てる図である。
【図６】図５の折畳まれたラックが立つ時における位置決め制御装置周辺の断面図。
【図７】本考案のラックが完全に折畳まれた時の図である。
【図８】図７の折畳まれたラックの位置決め制御装置における位置決めユニットの異なる実施例の断面図である。
【発明を実施するための形態】
【００１１】
次のように図面と実施例を合わせて、本考案について更に説明する。図１乃至図４に示すように、本考案のラックは、２つの支持フレーム１の間の両側にそれぞれ、スライドフレーム２が設けられ、スライドフレーム２にそれぞれ、スライドブッシュ３が組み付けられ、各側のスライドブッシュ３及び両側の支持フレーム１の間にはそれぞれ、対向した連結ユニット４が接続され、それに、２つの支持フレーム１及びスライドブッシュ３の間には、上から下へ、間隔を開けて複数の棚板部材５が設けられ、棚板部材５はそれぞれ、両内側部がスライドフレーム２に固定される２つの棚板５１，５２を備えてなり、両側の棚板５１，５２の外側部は更に、それに対応する支持フレーム１に固定されるように設けられ、該スライドフレーム２を下向き、または上向きに移動させることによって、２つの支持フレーム１を外向きに広げ、棚板５１，５２を平らに展開し、または、支持フレーム１を内向きに近づかせ、棚板５１，５２を折り畳め、ラックを折り合わせまたは展開するように設けられる。
【００１２】
該スライドフレーム２の上端にそれぞれ、更に位置決め制御装置６が設けられ、該位置決め制御装置６はスライドフレーム２の上端に取り付けられるトグルユニット６１、スライドフレーム２に設けられる固定されるロッドバー６０が備わり、トグルユニット６１と該ロッドバー６０を連結するように設けられ、該ロッドバー６０には更に、位置決めユニット６２が設けられ、位置決めユニット６２は下へと、スライドフレーム２内に延伸し、位置決めユニットの下端に突出し部６２１が設けられ、該突出し部６２１に対応するスライドフレーム２の側面に露出口２１があり、位置決めユニット６２の下端には更に、スライドフレーム２上に突き当てて、柔軟に、外向きに突き出すためのフレキシブルユニット６３が設けられ、トグルユニット６１と位置決めユニット６２は、ロッドバー６０を中心としてスイングし、即ち、位置決めユニット６２の下端が外向きにスイングするように設けられ、それによって、突出し部６２１は露出口２１から若干、スライドフレーム２の外に露出され、該突出し部６２１が露出口２１の辺に柔軟に伸縮できるように設けられる。
【００１３】
該ロッドバー６０は、スライドフレーム２の上端にある切込部２０を経て、切込部２０の底部に入り込み、それから、スライドフレーム２の上端に、固定カラー２２が取付固定され、ロッドバー６０を固定カラー２２に当させ、切込部２０から外れさせないようにし、ロッドバー６０がスライドフレーム２に取り付けられるように、回転するように設けられる。
【００１４】
図５、図６に示すように、使用者がラックの両側のスライドフレーム２を引き上げると、両側の支持フレーム１及び各棚板部材５が内側に近づき、折り畳むようになり、それと同時に、位置決め制御装置６にある位置決めユニット６２の突出し部６２１は、スライドブッシュ３の折畳み、近づきによって、突出し部６２１がスライドブッシュ３を通ってから、フレキシブルユニット６３に柔軟に突き当てられることによって、露出され、スライドブッシュ３の上端に突き当てるようになり、そこで、スライドブッシュ３にあるスライドフレーム２が下へスライドできず、位置決めが行われるようになり、更に、２つの支持フレーム１は外向きにスライドしたり広がりしたりせず、折畳まれた２つの支持フレーム１の間がプリセットされた距離を持つように設けられ、それによって、ラックは折畳まれた後、安定して立つように設けられ、または押し動かされても、安定性を保ち、簡単に倒れたりしないことなること。それに対して、使用者がトグルユニット６１を上に動かすと、位置決めユニット６２の下端が内向きにスイングして、該突出し部６２１がスライドフレーム２内に入り込み、スライドフレーム２が下向きにスライドするようになり、２つの支持フレーム１が外向きに広がり、棚板部材が平らに展開され、ラックが展開、使用できるように設けられる。
【００１５】
該位置決め制御装置６の位置決めユニット６２は、異なる長さに設定された場合、２つの支持フレーム１の間を折り合わせた時の位置が変わる。図７、図８に示すように、位置決めユニット６２の長さが伸びた場合、その下端の突出し部６２１がスライドブッシュ３の上端に突き当てると、２つの支持フレーム１の間が近づき、ほぼ一つに重なるようになり、そうなると、スライドフレーム２が下へスライドせず、近づいた２つの支持フレーム１が位置決められ、そこで、折り畳まれたラックを押し動かす時、２つの支持フレーム１が外に広がったりすることを心配する必要がない。
【符号の説明】
【００１６】
１．支持フレーム
２．スライドフレーム
２０．切込部
２１．露出口
２２．固定カラー
３．スライドブッシュ
４．連結ユニット
５．棚板部材
５１，５２．棚板
６．位置決め制御装置
６０．ロッドバー
６１．トグルユニット
６２．位置決めユニット
６２１．突出し部
６３．フレキシブルユニット